(57)【要約】      （修正有）【課題】土建工事現場に設置される工事案内看板が風で吹き飛ばされたり、倒れたりしないように、風が通り抜けていく風抜けメッシュシートを使用した看板で、組立て分解できるようにした風抜けメッシュシート使用の工事用案内看板を提供する。【解決手段】下取付けパイプと上取付けパイプを設け、そのパイプに風抜けメッシュシートで形成した案内板を取付け、その下取付けパイプと下取付けパイプを左右の前脚に挿着して組付け、又、分解できるようにしたことを特徴とする風抜けメッシュシート使用の工事用案内看板。【選択図】図１
0003127690.tif 000002
【実用新案登録請求の範囲】
【請求項１】
下取付けパイプと上取付けパイプに風抜けメッシュシートで形成した案内板の筒部を通し取付け、その下取付けパイプと上取付けパイプを左右の前脚に挿着して組付けた風抜けメッシュシート使用の工事用案内看板。
【請求項２】
前脚の後方に開閉する後脚を設け、その後脚を固定する引掛板を設けた請求項１の風抜けメッシュシート使用の工事用案内看板。
【請求項３】
案内板の縁は折り曲げ上下に筒部を設け、その縁は適当な間隔に数箇所をハトメで止め、その案内板に工事内容を表示した請求項１の風抜けメッシュシート使用の工事用案内看板。
【請求項４】
前脚の下方の内側に下取付けパイプが出入りする挿着筒を設け、下取付けパイプに固定孔と挿着筒にバネ止め孔を設け、挿着筒の内部に止め部を設けたバネを組付けて下取付けパイプを挿着筒に脱着自在とした請求項１の風抜けメッシュシート使用の工事用案内看板。
【請求項５】
上取付けパイプの両端は、前脚の上端の形状に合った差し込み穴をも設け脱着自在とした請求項１の風抜けメッシュシート使用の工事用案内看板。
【請求項６】
前脚の下方に出入りする伸縮脚を設け、前脚に高さ調節をするための孔を数個設け、又、伸縮脚に孔を設け、その孔にバネで出入りするピンを設けた請求項１の風抜けメッシュシート使用の工事用案内看板。
［０００７］
案内板において、年月日部分、許可番号部分、道路使用許可番号部分等のような所は、その部分に合わせた大きさのシートを形成し、マジックテープや磁石等で接着できるようにした請求項１の風抜けメッシュシート使用の工事用案内看板。
【考案の詳細な説明】
【技術分野】
【０００１】  この考案は、土建工事等において、その工事内容を案内するための看板で、風で倒れたり飛ばされたりしないように案内を表示する部分にメッシュシートを使用し、組立、分解可能とした工事用案内看板に関するものである。
【背景技術】
【０００２】  従来、風通しをよくするために、帽子や衣類、網戸、標識等に種々なメッシュを使用したものがあった。
又、土建工事等の工事用案内看板はメッシュシートは使用されてなく、風が抜けていかない板で作られていた。又、組立て分解ができなかった。
【考案の開示】
【考案が解決しようとする課題】
【０００３】  そのために、次のような問題点があった。
（イ）工事内容を表示する部分は風が抜けていかない一枚の板で作られているので、ちょっとした風でも倒れたり、吹飛ばされることがあった。
（ロ）組立て、分解ができないので、看板を現場に設置する場合は看板全体を運搬しなければならず重く不都合であった。
本考案は、これらの問題点を解決するためになされたものである。
【課題を解決するための手段】
【０００４】  下方に下取付けパイプを設け、その下取付けパイプの左右より脱着自在に前脚を設ける。前脚の後方に開閉自在とした後脚を設ける。前脚と後脚を保持する引掛板を設ける。上方に上取付けパイプを設け、左右の端に差し込み穴を設け、前脚の上端に差し込み固定する。風抜けメッシュシートで形成した案内板の上下に筒部を設け、その筒部に上取付けパイプと下取付けパイプを挿入し、上下に引っ張るようにして案内板を取付ける。
以上を特徴とする風抜けメッシュシート使用の工事用案内看板。
【考案の効果】
【０００５】  案内板は、風が通り抜けていくメッシュシートを使用したので、ちょっとした風で倒れたり、吹飛ばされることがなくなる。
組立て、分解ができるので、運搬の時は各部分を分解し小さくまとめて運べるので運搬が楽になる。
又、前もって看板が設置されていて工事内容が変更したような時等は、案内板だけを持っていって、その案内板を現場で取替えすればよいので、大巾な省力化となる。又、案内板は伸ばすように取付けてあるので安定し外れることがない。
【考案を実施するための最良の形態】
【０００６】  以下本考案の実施の形態について、図面を参照しながら説明する。
図１、図２、図３、図４、図５、図６、図７、図８について、
（イ）下方に適当な長さで丸形の下取付けパイプ（１）を設け、その中心に差し込み孔（２）を設け、又、両端方に固定孔（３）を設ける。
（ロ）角形パイプで前脚（４）を左右に各々設け、その前脚（４）の下方の内側に差し込み孔（２）に出入する挿着筒（５）を設け、固定孔（３）の位置に合わせてバネ止め孔（６）を設ける。
（ハ）バネ止め孔（６）の中に、先端に受部（７）と先方に半円形の凸状の止め部（８）と一方にＵ形のバネ部（９）と下方に支持部（１０）を形成したバネ（１１）を挿着筒（５）の中に取付け、バネ止め孔（６）に止め部（８）をはめ込み、さらに下取付けパイプ（１）に設けた固定孔（３）にはめ込んで下取付けパイプ（１）を挿着筒（５）に組付け固定する。
（ニ）前脚（４）後方に開閉する後脚（１２）を設ける。
（ホ）後脚（１２）を開いた時、その後脚（１２）を固定するための引掛溝（１３）を設けた引掛板（１４）を設ける。
（ヘ）前脚（４）の横に引掛ピン（１５）を設ける。
（ト）前脚（４）の上端にはまり込む差し込み穴（１６）を両端に設けた上取付けパイプ（１７）を設け、前脚（４）の上端にはめ込み固定する。
（チ）適当な目の風抜けメッシュシートで左右の縁は折り曲げ、下方は下取付けパイプ（１）に、上方は上取付けパイプ（１７）に通る筒部（１９）を設け左右の周部（２０）をハトメ（２１）で数箇所止めた案内板（１８）を形成する。
本考案は、以上の構造でこれを使用するときは、案内板（１８）の上下の筒部（１９）に上取付けパイプ（１７）と下取付けパイプ（１）を各々通し、前脚（４）の上端に上取付けパイプ（１７）の差し込み穴（１６）を差込み、下取付けパイプ（１）を下方に引きながら左右の前脚（４）の挿着筒（５）を下取付けパイプ（１）の差込み孔（２）に挿入し、バネ（１１）の止め部（８）を固定孔（２）にセットし前脚を固定し、案内板（１８）を取付ける。
次に、後脚（１２）を開いて引掛板（１４）の引掛溝（１３）を止めピン（２２）にはめ込んで後脚（１２）を固定し、工事現場に本考案の看板を設置する。
運搬する時は、その看板は分解し小さくまとめて運ぶことができる。又、現場においては簡単に組立できる。又、工事内容等が変更した場合等は、案内板（１８）だけを持って行って現場で簡単に取替できる。又、案内板（１８）は引いて上下に伸ばすように取付けてあるので外れることがなく安定して案内板（１８）が取付られる。【０００７】  次に、異なった一実施例として、案内板（１８）には、図９に示ように、工事内容（２３）を印刷するが、年月日部分（２４）はマジックテープ（登録商標）方式とし、図１０のような年月日（２５）を表示したシート（２６）を形成し年月日部分（２４）に脱着可能とする。又は、磁石で脱着することもできる。
又、許可番号部分（２７）及び、道路使用許可番号部分（２８）もマジックテープ方式とし、番号（２９）を表示したシート（３０）を形成し、前記と同様に脱着可能とする。又は、磁石で脱着することもできる。
このようにすれば、工事内容等の変更時は、シート（２６）（３０）だけを取替すればよい。【０００８】  又、さらに異なった実施例として、前脚（４）の下の内周（３１）にスライドする伸縮脚（３２）を設け、前脚（４）に孔（３３）を設け、その孔（３３）に出入するストッパー部（３４）とツバ部（３５）とバネガイド部（３６）を設けたピン（３７）を孔（３３）中方より入れて、孔（３３）よりストッパー部（３４）が突出するようにバネ（３８）を挿着する。又、その前脚（４）に高さを調節するための孔（３９）を適当な間隔で数個設ける。
このようにすれば、図１２に示すように、ピン（３７）が孔（３９）にセットすれば伸縮脚（３２）は固定される。図１３のようにピン（３７）を外せば伸縮脚は自由に上下にスライドする。したがって、看板全体を高くしたり、低くしたり、設置場所や風などの強弱の様子に合せて調節できる。
【図面の簡単な説明】
【０００９】
【図１】本考案の全体斜面図で、メッシュ目を一部表示した図を示す
【図２】本考案の全体縮小分解斜面図
【図３】本考案の一部分の上取付パイプの拡大平面図
【図４】本考案の一部分の上取付けパイプの拡大底面図
【図５】本考案の一部分を示すもので、挿着筒に下取付けパイプの脱着状態を示す正面から見た拡大断面図で、挿着状態は想像線で示す
【図６】本考案の一部分の後脚の取付けた状態を示す拡大側面図で、開いた状態を想像線弟す
【図７】本考案の図６中ＢーＢ線の断面図
【図８】本考案の図１中ＡーＡ矢視の拡大断面図
【図９】本考案の一部分の案内板の拡大斜面図を示すもので、工事内容の部分を異なった実施例で示す
【図１０】本考案の異なった実施例を示もので、一部分の拡大正面図
【図１１】本考案の異なった実施例を示もので、一部分の拡大正面図
【図１２】本考案のさらに異なった実施例を示すもので、一部分の伸縮脚にピンがセットされて固定された状態の拡大断面図
【図１３】本考案のさらに異なった実施例を示もので、一部分の伸縮脚よりピンが外れている状態の拡大断面図
【符号の説明】
【００１０】  １  下取付けパイプ
２  差し込み孔
３  固定孔
４  前脚
５  挿着筒
６  バネ止め孔
７  受部
８  止め部
９  バネ部
１０  支持部
１１  バネ
１２  後脚
１３  引掛溝
１４  引掛板
１５  引掛ピン
１６  差し込み穴
１７  上取付けパイプ
１８  案内板
１９  筒部
２０  周部
２１  ハトメ
２２  止めピン
２３  工事内容
２４  年月日部分
２５  年月日
２６  シート
２７  許可番号部分
２８  道路使用許可番号部分
２９  番号
３０  シート
３１  内周
３２  伸縮脚
３３  孔
３４  ストッパー部
３５  ツバ部
３６  バネガイド部
３７  ピン
３８  バネ
３９  孔
４０  ピン
４１  支持ピン
４２  メッシュ目
【図１】
0003127690.tif 000003
【図２】
0003127690.tif 000004
【図３】
0003127690.tif 000005
【図４】
0003127690.tif 000006
【図５】
0003127690.tif 000007
【図６】
0003127690.tif 000008
【図７】
0003127690.tif 000009
【図８】
0003127690.tif 000010
【図９】
0003127690.tif 000011
【図１０】
0003127690.tif 000012
【図１１】
0003127690.tif 000013
【図１２】
0003127690.tif 000014
【図１３】
0003127690.tif 000015
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
下取付けパイプと上取付けパイプに風抜けメッシュシートで形成した案内板の筒部を通し取付け、その下取付けパイプと上取付けパイプを左右の前脚に挿着して組付けた風抜けメッシュシート使用の工事用案内看板。
【請求項２】
前脚の後方に開閉する後脚を設け、その後脚を固定する引掛板を設けた請求項１の風抜けメッシュシート使用の工事用案内看板。
【請求項３】
案内板の縁は折り曲げ上下に筒部を設け、その縁は適当な間隔に数箇所をハトメで止め、その案内板に工事内容を表示した請求項１の風抜けメッシュシート使用の工事用案内看板。
【請求項４】
前脚の下方の内側に下取付けパイプが出入りする挿着筒を設け、下取付けパイプに固定孔と挿着筒にバネ止め孔を設け、挿着筒の内部に止め部を設けたバネを組付けて下取付けパイプを挿着筒に脱着自在とした請求項１の風抜けメッシュシート使用の工事用案内看板。
【請求項５】
上取付けパイプの両端は、前脚の上端の形状に合った差し込み穴を設け脱着自在とした請求項１の風抜けメッシュシート使用の工事用案内看板。
【請求項６】
前脚の下方に出入りする伸縮脚を設け、前脚に高さ調節をするための孔を数個設け、又、伸縮脚に孔を設け、その孔にバネで出入りするピンを設けた請求項１の風抜けメッシュシート使用の工事用案内看板。
【請求項７】
案内板において、年月日部分、許可番号部分、道路使用許可番号部分等のような所は、その部分に合わせた大きさのシートを形成し、面ファスナーや磁石等で接着できるようにした請求項１の風抜けメッシュシート使用の工事用案内看板。
【手続補正２】
【補正対象書類名】図面
【補正対象項目名】図９
【補正方法】変更
【補正の内容】
【図９】
0003127690.tif 000016